(57)【要約】 【課題】            例えば会議用テ−ブルに好適で、天板の回動変位に連動して脚杆を変位させ、テ−ブルの使用時に左右の脚杆を平行に配置し、使用時の安定性と体裁を改善するとともに、椅子の配置スペ−スを充分に確保して快適な使用を図れ、天板の折り畳み時は左右の脚杆を平面略ハ字状に配置し、スタッキングの効率と体裁を向上するようにした、折り畳みテ−ブルを提供すること。【解決手段】    天板１の折り畳み時、脚２７を連結可能な左右の脚杆２７を平面略ハ字状に配置可能な折り畳みテ−ブルであること。  前記天板１の回動変位に連動して、前記左右の脚杆２７を水平面と平行平面を内外方向へ回動可能にする。【選択図】図１
2008036161.tif 000002
【特許請求の範囲】
【請求項１】
天板の折り畳み時、脚を連結可能な左右の脚杆を平面略ハ字状に配置可能な折り畳みテ−ブルにおいて、天板の回動変位に連動して、前記左右の脚杆を水平面と平行平面を内外方向へ回動可能にしたことを特徴とする折り畳みテ−ブル。
【請求項２】
テ−ブル使用時、前記左右の脚杆を平行に配置可能にした請求項１記載の折り畳みテ−ブル。
【請求項３】
天板の裏面に第１係合部材を設け、天板を上下方向に回動可能に支持可能なブラケットに第２係合部材を設け、前記ブラケットを支持可能な支持ブロックを設けるとともに、前記脚を連結可能な脚取付ブロックを設け、前記支持ブロックに前記脚取付ブロックを水平面と平行に回動可能に連結し、該脚取付ブロックの一側面に前記第１係合部材を係合可能に配置し、前記第２係合部材を前記脚取付ブロックの他側面に係合可能に配置した請求項１記載の折り畳みテ−ブル。
【請求項４】
天板の折り畳み時、前記第１係合部材を脚取付ブロックに係合可能に設け、該脚取付ブロックの回動変位に脚および脚杆を同動可能にした請求項１記載の折り畳みテ−ブル。
【請求項５】
前記第２係合部材を脚取付ブロックから後退可能にした請求項４記載の折り畳みテ−ブル。
【請求項６】
天板の使用回動時、前記第２係合部材を脚取付ブロックに係合可能に設け、該脚取付ブロックの回動変位に脚および脚杆を同動可能にした請求項１記載の折り畳みテ−ブル。
【請求項７】
前記第１係合部材を脚取付ブロックから後退可能にした請求項６記載の折り畳みテ−ブル。
【請求項８】
前記脚取付ブロックの外側に前記脚を連結した請求項１記載の折り畳みテ−ブル。
【請求項９】
前記脚杆を直杆状に形成した請求項１記載の折り畳みテ−ブル。
【発明の詳細な説明】
【技術分野】
【０００１】
本発明は、例えば会議用テ−ブルに好適で、天板の回動変位に連動して脚杆を変位させ、テ−ブルの使用時に左右の脚杆を平行に配置し、使用時の安定性と体裁を改善するとともに、椅子の配置スペ−スを充分に確保して快適な使用を図れ、天板の折り畳み時は左右の脚杆を平面略ハ字状に配置し、スタッキングの効率と体裁を向上するようにした、折り畳みテ−ブルに関する。
【背景技術】
【０００２】
従来、折り畳みテ−ブルのスタッキング形態として、先行テ−ブルに平行に配置した左右の脚杆の側方に、後行テ−ブルの脚杆を隣接して配置するものと、先行テ−ブルにハ字形に配置した左右の脚杆の間に、後行テ−ブルの脚杆を配置するものとがある（例えば、特許文献１および２参照）。
【０００３】
しかし、前者の場合は、後行テ−ブルが次第に斜めに移動して体裁が悪く、また大きなスタッキングスペ−スを要するという問題があり、後者の場合は、脚杆のデザインやテ−ブル使用時の体裁に違和感があるとともに、テ−ブルの安定性に不安があり、また脚杆スペ−スが狭小になるため、椅子の配置が制限されて窮屈な使用を強いられる、という問題があった。
【０００４】
前記問題を解決するものとして、前脚と後脚を内外位置に配置し、先行テ−ブルの左右各一対の脚の間に、後行テ−ブルの左右各一対の脚を配置するものとがある（例えば、特許文献３参照）。
【０００５】
しかし、この従来の折り畳みテ−ブルは、スタッキングの体裁が改善される反面、前後脚を別設に構成するため、部品点数が増加し、また組み立てに手間が掛かる、という問題があった。
【０００６】
この問題を解決するものとして、前脚と後脚を平面上略ヘ字形に一体に成形し、外側に向けて配置した先行テ−ブルの後脚の間に、後行テ−ブルの前脚を配置してスタッキングするものがある（例えば、特許文献３参照）。
【０００７】
しかし、この従来の折り畳みテ−ブルは、前述のものと同様に脚杆のデザインやテ−ブル使用時の体裁に違和感があるとともに、テ−ブルの安定性に不安があり、また左右の脚スペ−スが狭小になるため、椅子の配置が制限されて窮屈な使用を強いられる、という問題があった。
【０００８】
【特許文献１】特開２００４−１８７８５１号公報
【特許文献２】特許第３３０３７８１号公報
【特許文献３】特許第２５７２７５７号公報
【特許文献４】実開平３−６７１３７号公報
【発明の開示】
【発明が解決しようとする課題】
【０００９】
本発明はこのような問題を解決し、例えば会議用テ−ブルに好適で、天板の回動変位に連動して脚杆を変位させ、テ−ブルの使用時に左右の脚杆を平行に配置し、使用時の安定性と体裁を改善するとともに、椅子の配置スペ−スを充分に確保して快適な使用を図れ、天板の折り畳み時は左右の脚杆を平面略ハ字状に配置し、スタッキングの効率と体裁を向上するようにした、折り畳みテ−ブルを提供することを目的とする。
【課題を解決するための手段】
【００１０】
請求項１の発明は、天板の折り畳み時、脚を連結可能な左右の脚杆を平面略ハ字状に配置可能な折り畳みテ−ブルにおいて、天板の回動変位に連動して、前記左右の脚杆を水平面と平行平面を内外方向へ回動可能にし、天板の折り畳み時とテ−ブルの使用時に脚杆を所望方向へ変位可能にして、その多様な用途と体裁の改善に応じられるようにしている。
請求項２の発明は、テ−ブル使用時、前記左右の脚杆を平行に配置可能にし、テ−ブル使用時の安定性と体裁を改善するようにしている。
【００１１】
請求項３の発明は、天板の裏面に第１係合部材を設け、天板を上下方向に回動可能に支持可能なブラケットに第２係合部材を設け、前記ブラケットを支持可能な支持ブロックを設けるとともに、前記脚を連結可能な脚取付ブロックを設け、前記支持ブロックに前記脚取付ブロックを水平面と平行に回動可能に連結し、該脚取付ブロックの一側面に前記第１係合部材を係合可能に配置し、前記第２係合部材を前記脚取付ブロックの他側面に係合可能に配置し、天板の回動変位によって、天板の折り畳み時とテ−ブルの使用時に、脚杆の所望方向への変位形成を容易に実現可能にしている。
請求項４の発明は、天板の折り畳み時、前記第１係合部材を脚取付ブロックに係合可能に設け、該脚取付ブロックの回動変位に脚および脚杆を同動可能にし、天板の折り畳み時、脚および脚杆を平面略ハ字状に配置可能し、スタッキングの効率と体裁を向上するようにしている。
【００１２】
請求項５の発明は、前記第２係合部材を脚取付ブロックから後退可能にし、脚取付ブロックを確実かつ円滑に回動し、スタッキングを確実に行えるようにしている。
請求項６の発明は、天板の使用回動時、前記第２係合部材を脚取付ブロックに係合可能に設け、該脚取付ブロックの回動変位に脚および脚杆を同動可能にし、左右の脚杆の平行配置を復旧し、テ−ブルの使用状態を形成可能にしている。
請求項７の発明は、前記第１係合部材を脚取付ブロックから後退可能にし、脚取付ブロックを確実かつ円滑に復帰回動させ、テ−ブルの使用状態を確実に形成可能にしている。
【００１３】
請求項８の発明は、前記脚取付ブロックの外側に前記脚を連結し、左右の脚ないし脚杆の間隔を拡張し、椅子の配置スペ−スを充分に確保して快適な使用を図れるようにしている。
請求項９の発明は、前記脚杆を直杆状に形成し、脚杆の構成を簡潔化し、その容易かつ安価な製作を実現するとともに、左右の脚ないし脚杆の間隔の拡張を促すようにしている
【発明の効果】
【００１４】
請求項１の発明は、天板の回動変位に連動して、前記左右の脚杆を水平面と平行平面を内外方向へ回動可能にしたから、天板の折り畳み時とテ−ブルの使用時に脚杆を所望方向へ変位することができ、その多様な用途と体裁の改善に応じられる効果がある。
請求項２の発明は、テ−ブル使用時、前記左右の脚杆を平行に配置可能にしたから、テ−ブル使用時の安定性と体裁を改善することができる。
【００１５】
請求項３の発明は、天板の裏面に第１係合部材を設け、天板を上下方向に回動可能に支持可能なブラケットに第２係合部材を設け、前記ブラケットを支持可能な支持ブロックを設けるとともに、前記脚を連結可能な脚取付ブロックを設け、前記支持ブロックに前記脚取付ブロックを水平面と平行に回動可能に連結し、該脚取付ブロックの一側面に前記第１係合部材を係合可能に配置し、前記第２係合部材を前記脚取付ブロックの他側面に係合可能に配置したから、天板の回動変位によって、天板の折り畳み時とテ−ブルの使用時に、脚杆の所望方向への変位形成を容易に実現することができる。
請求項４の発明は、天板の折り畳み時、前記第１係合部材を脚取付ブロックに係合可能に設け、該脚取付ブロックの回動変位に脚および脚杆を同動可能にしたから、天板の折り畳み時、脚および脚杆を平面略ハ字状に配置することができ、スタッキングの効率と体裁を向上することができる。
【００１６】
請求項５の発明は、前記第２係合部材を脚取付ブロックから後退可能にしたから、脚取付ブロックを確実かつ円滑に回動し、スタッキングを確実に行えうことができる。
請求項６の発明は、天板の使用回動時、前記第２係合部材を脚取付ブロックに係合可能に設け、該脚取付ブロックの回動変位に脚および脚杆を同動可能にしたから、左右の脚杆の平行配置を復旧し、テ−ブルの使用状態を形成することができる。
請求項７の発明は、前記第１係合部材を脚取付ブロックから後退可能にしたから、脚取付ブロックを確実かつ円滑に復帰回動させ、テ−ブルの使用状態を確実に形成することができる。
【００１７】
請求項８の発明は、前記脚取付ブロックの外側に前記脚を連結したから、左右の脚ないし脚杆の間隔を拡張し、椅子の配置スペ−スを充分に確保して快適な使用を図ることができる。
請求項９の発明は、前記脚杆を直杆状に形成したから、脚杆の構成を簡潔化し、その容易かつ安価な製作を実現するとともに、左右の脚ないし脚杆の間隔の拡張を促すことができる。
【発明を実施するための最良の形態】
【００１８】
以下、本発明を会議用テ−ブルに適用した図示の実施形態について説明すると、図１乃至図１４において１は横長矩形の天板で、その両端部の下面に略コ字形断面のブラケット２,２がビス止めされ、その一対の屈曲片２ａ,２ａに枢支孔３と通孔４が形成され、それらに枢支ピン５と連結杆６が挿入されている。
図中、７，７はブラケット２,２間に配置した角パイプ製の天板１の補強枠、８は前記屈曲片２ａ,２ａの間に介挿したスペ−サで、内部に前記枢支ピン５が挿入されている。
【００１９】
前記ブラケット２の内側に、アルミニウムダイカスト製の支持ブロックであるカムブロック９が配置され、該カムブロック９は肉厚の略板状に成形され、その上端部にカム部を構成するカム溝１０，１１が成形され、それらにロックピンＰが係脱可能に配置され、天板１の使用状態と折り畳み状態を保持可能にしている。
【００２０】
図中、１２は前記連結杆６に一端をビス止めしたロックリンクで、捩りバネ（図示略）を介して回動可能に付勢され、該リンク１２の一端に後述のカム溝に係合可能なロックピンＰが突設されている。
１３は連結杆６に一端を同動可能にビス止めしたロックレバ−、１４はカムブロック９の上端部に形成したピン孔で、前記枢支ピン５が屈曲片２ａ,２ａを貫通して挿入され、該ピン５を中心に天板１とブラケット２,２を回動可能に支持している。
【００２１】
前記カムブロック９の下端部の内側に角柱状のブロック杆１５が突設され、該ブロック杆１５に角管状の補強枠１６が取り付けられている。
また、前記カムブロック９の中間部の外側に軸筒部１７が突設され、該軸筒部１７に軸孔１８が形成されていて、該軸筒部１７が脚取付ブロック１９の枢支溝２０に挿入されて回動かつ揺動可能に連結されている。
【００２２】
前記脚取付ブロック１９は、アルミニウムダイカストによって略Ｌ字断面に成形され、
該ブロック１９の内側に略扇形断面の枢支溝２０が成形され、該溝２０に前記軸筒部１７が揺動可能に収容されている。
前記枢支溝２０の上下にピン孔２１が形成され、該ピン孔２１と前記軸孔１８にピン２２が挿入され、該脚取付ブロック１９を前記カムブロック９に回動可能に連結している。
実施形態では、脚取付ブロック１９を略３０°に回動可能に連結している。
【００２３】
前記脚取付ブロック１９に係合片２３が略直角に屈曲成形され、該係合片２３の内外面に第１および第２係合部材２４，２５が係合可能に配置されている。実施形態では、第１および第２係合部材２４，２５として、合成樹脂製のロ−ラを使用している。
【００２４】
このうち、第１係合部材２４は、ブラケット２の先端部直上の天板１に配置したＬ形金具２６に回転自在に支持され、その転動面を係合片２３の外面に係合可能に配置している
前記第１係合部材２４は、天板１の折り畳み時、枢支ピン５を中心にブラケット２と一緒に下向きに回動し、その回動終期に前記係合片２３の外側に取り付けた脚２７を同動可能にしている。
【００２５】
また、前記第２係合部材２５は、内側の屈曲片２ａの先端下部に固定した取付金具２８に回転自在に支持され、かつブラケット２の内側に配置されていて、テ−ブル使用時は前記係合片２３の内側に係合し、脚取付ブロック１９の回動を阻止可能にしている。この場合、取付金具２８の代わりに、屈曲片２ａを同形に突出形成することも可能である。
一方、前記第２係合部材２５は、天板１の折り畳み時、枢支ピン５を中心にブラケット２と一緒に下向きに回動し、前記係合片２３から後退可能にしている。
【００２６】
前記脚２７は角管状の鋼管で構成され、その上端部の内側面を前記脚取付ブロック１９の外面にボルト締めして固定し、その下端部を斜め前下がりに配置している。
この場合、脚２７を斜状に配置する代わりに、垂直に配置することも可能である。
前記脚２７の下端部に、角管状の鋼管からなる直杆状の脚杆２９の前端部が連結され、該脚杆２９の前後にキャスタ−３０が回転自在に取り付けられ、床面３１を走行可能にされている。
【００２７】
図中、３２は脚２７と脚杆２９に取付けたステ−金具で、これらに略三角形状の半透の合成樹脂製の側板３３が取り付けられている。３４はブラケット２の下側を閉塞するカバ−、３５は脚２７の上端部の内面に溶接した固定板である。
【００２８】
このように構成した本発明の折り畳みテ−ブルは、天板１、ブラケット２、カムブロック９のカム部、および天板１の折り畳み機構を、従来と実質的に同一に構成し、また脚２７および脚杆２８は、市販の鋼管を所定寸法に切断して連結したものであるから、従来の脚また脚杆のように、前後脚に別設または内外に屈曲して成形し、また脚杆を内外に屈曲して成形する必要がとなく、これを容易かつ安価に製作できる。
【００２９】
一方、本発明の折り畳みテ−ブルは、カムブロック９の軸筒部１７と、脚取付ブロック１９と、第１および第２係合部材２４，２５の製作を要する。
このうち、カムブロック９の軸筒部１７と、脚取付ブロック１９はアルミニウムダイカストで均一かつ安価に製作し、第１および第２係合部材２４，２５は市販のロ−ラを使用して製作する。
【００３０】
こうして製作した各構成部材を使用して折り畳みテ−ブルを組み立てる場合は、天板１の前端部側の裏面の両側にＬ形金具２６を取り付け、該金具２６に第１係合部材２４を取り付ける。
また、ブラケット２，２の一側の屈曲片２ａの前端部に取付金具２８を取り付け、該金具２８に第２係合部材２５を取り付け、かつ該係合部材２５をブラケット２の内側に片寄って配置する。
【００３１】
この後、カムブロック９の軸筒部１７を脚取付ブロック１９の枢支溝２０に挿入し、ピン２２をピン孔２１と軸孔１８に差し込み、その螺軸にナット（図示略）をねじ込んで緊締し、カムブロック９と脚取付ブロック１９を回動可能に連結する。
そして、前記カムブロック９の上端部をブラケット２，２の内側に収容し、屈曲片２ａの枢支孔３から枢支ピン５を挿入し、かつこれをスペ−サ８を介してピン孔１４に差し込み、屈曲片２ａ，２ａの間に脚取付ブロック１９を回動可能に連結する。
【００３２】
こうして、前記ブラケット２，２をＬ形金具２６に近接してビス止めし、該ブラケット２，２の間に補強枠７，７をビス止めし、また通孔４，４に連結杆６を挿入し、該杆６にロックリンク１２の基端部をビス止めし、該連結杆６にロックレバ−１３の一端をビス止めする。
【００３３】
一方、脚２７の一端部に脚杆２９を連結し、該脚杆２９の前後にキャスタ−３０を取り付けるとともに、脚２７と脚杆２９の内側にステ−金具３２を取り付け、該金具３２に側板３３を取り付ける。
そして、前記組み付けた天板１のアセンブリと、左右一対の脚２７のアセンブリを用意し、脚取付ブロック１９の外面に脚２７の内面を接合し、これらをボルト（図示略）締めして連結する。
【００３４】
こうして組み立てた折り畳みテ−ブルにおいて、天板１を水平に設置するテ−ブルの使用時は図１乃至図３のように、天板１の長さ方向の両端部直下に直杆状の脚杆２９，２９が平行に位置し、該脚杆２９，２９間、およびこれらに連結した脚２７，２７の間隔を広く確保し得る。
したがって、脚杆２９，２９を平面上ハ字状に配置する従来のテ−ブルに比べ、脚２７，２７の間に複数の椅子（図示略）を一定の間隔を保って余裕を持って配置でき、窮屈な着座姿勢を強いられることなく快適に使用し得る。
【００３５】
このようなテ−ブルの使用時は、ロックピン１２ａが下側のカム溝１１に係合して、天板１が水平に保持され、第１係合部材２４が脚取付ブロック１９の直上に位置し、第２係合部材２５が脚取付ブロック１９の係合片２３の内面に圧接し、脚取付ブロック１９の回動を阻止している。
したがって、天板１の水平状態が強固に保持され、テ−ブルの安定した使用状態が得られる。この状況は図６および図７のようである。
【００３６】
このような状況の下でテ−ブルの使用後、天板１を折り畳んで適所に保管する場合は、ロックレバ−１３を押圧操作し、ロックピン１２ａをカム溝１１から引き抜き、天板１の後端部を保持して枢支ピン５を中心に押し上げる。
このようにすると天板１とブラケット２が枢支ピン５を中心に下向きに回動し、天板１の先端部側に設けた第１係合部材２４と、ブラケット２の先端部側に設けた第２係合部材２５が枢支ピン５を中心に下向きに移動し、第１係合部材２４が脚取付ブロック１９に近接し、第２係合部材２５が係合片２３の内面から後退する。
【００３７】
この後、天板１を更に押し上げると、第１係合部材２４が脚取付ブロック１９の係合片２３の外面に係合し、該脚取付ブロック１９がピン２２を中心に図７上時計方向へ回動し、該ブロック１９の外面に連結した脚２７と、該脚２７の下端部に連結した脚杆２９とがこれに同動する。
その際、第２係合部材２５は係合片２３の内面から更に後退し、脚取付ブロック１９の回動域から避退する。この状況は図９、１１、１３のようで、左右の脚杆２９が平面略ハ字形状に配置される。
【００３８】
そして、天板１の回動終期にはロックピン１２ａがカム溝１０に係合し、図１０に示すような天板１の折り畳み状態が保持され、また第１係合部材２４と係合片２３の係合状態と、脚２７および脚杆２９の回動状態が保持される。
【００３９】
この後、天板１を折り畳んだテ−ブルを適所へ移動し、これらを順次スタックする。
すなわち、先行テ−ブルの平面略ハ字形状に配置した左右の脚杆２９，２９の間に、後行テ−ブルの同様に配置した左右の脚杆２９，２９を差し入れる。
この状況は図１０および図１３、１４のようで、各脚杆２９，２９が平面略ハ字形状に配置され、各テ−ブルを効率良く、かつ安定良くスタックし、しかも各テ−ブルを平行かつ整然とスタックする。
【００４０】
一方、スタックしたテ−ブルを使用する場合は、前記テ−ブルを所望の位置へ移動し、ロックレバ−１３を押圧操作し、ロックピン１２ａをカム溝１０から引き抜き、天板１の後端部を保持して枢支ピン５を中心に押し下げる。
このようにすると天板１とブラケット２が枢支ピン５を中心に上向きに回動し、天板１の先端部側に設けた第１係合部材２４と、ブラケット２の先端部側に設けた第２係合部材２５が枢支ピン５を中心に上向きに移動し、第１係合部材２４が係合片２３の外面から離反し、第２係合部材２５が係合片２３の内面に接近する。
【００４１】
この後、天板１を更に押し下げると、第２係合部材２４が脚取付ブロック１９の係合片２３の内面に係合し、該脚取付ブロック１９がピン２２を中心に図１１上反時計方向へ回動し、該ブロック１９の外面に連結した脚２７と、該脚２７の下端部に連結した脚杆２９とがこれに同動する。
その際、第１係合部材２４は係合片２３の外面から更に離間し、脚取付ブロック１９の回動域から避退する。この状況は図１、２、７のようで、左右の脚杆２９の平面略ハ字形状が解消され、これらが平行に配置される。
【００４２】
そして、天板１の回動終期にロックピン１２ａがカム溝１１に係合して、天板１の水平状態が保持され、第２係合部材２５が係合片２３の内面を圧接して、脚取付ブロック１９の回動を阻止し、また第１係合部材２４がブラケット２の直上に移動して原位置に復帰する。この状況は図１乃至４に示すようで、この後テ−ブルの使用が可能になる。
【００４３】
このように本発明は、天板１の折り畳みテ−ブルにおいて、天板１の回動変位に連動して、左右の脚杆２９を水平面と平行平面を内外方向へ回動させ、テ−ブル使用時は左右の脚杆２９を平行に配置し、安定した使用状態とその体裁を改善するとともに、天板１の折り畳み時は左右の脚杆２９を平面略ハ字形状に配置し、スタッキングの効率と体裁を向上するようにしたものである。
【産業上の利用可能性】
【００４４】
このように本発明の折り畳みテ−ブルは、天板の回動変位に連動して脚杆を変位させ、テ−ブルの使用時に左右の脚杆を平行に配置し、使用時の安定性と体裁を改善するとともに、椅子の配置スペ−スを充分に確保して快適な使用を図れ、天板の折り畳み時は左右の脚杆を平面略ハ字状に配置し、スタッキングの効率と体裁を向上できるから、例えば会議用テ−ブルに好適である。
【図面の簡単な説明】
【００４５】
【図１】本発明を適用した会議用テ−ブルの使用状態を前方から見た正面図である。
【図２】図１の平面図である。
【図３】図１の右側面図である。
【図４】図１の要部を拡大して示す正面図である。
【図５】図２の要部を拡大して示す平面図である。
【００４６】
【図６】図１の要部を拡大して示す左側面図である。
【図７】本発明の要部を示す平面図で、テ−ブル使用時における脚取付ブロックと、脚および脚杆並びに第１および第２係合部材との関係を示している。
【図８】本発明の要部を分解して示す斜視図で、支持ブロックと脚取付ブロック、脚とブラケットの関係を示している。
【図９】本発明を適用した会議用テ−ブルの天板の折り畳み状況を後方から見た斜視図である。
【００４７】
【図１０】本発明を適用した会議用テ−ブルのスタック状態を示す右側面図である。
【図１１】本発明の要部を示す平面図で、テ−ブルのスタック時における脚取付ブロックと、脚および脚杆並びに第１および第２係合部材との関係を示している。
【図１２】図９の要部を拡大して示す斜視図である。
【図１３】本発明を適用した会議用テ−ブルのスタック状態を示す底面図である。
【図１４】図１３の要部を拡大して示す斜視図である。
【符号の説明】
【００４８】
１            天板
２            ブラケット
９            支持ブロック（カムブロック）
１９            脚取付ブロック
２３            係合片
２４            第１係合部材
２５            第２係合部材
２７            脚
２９            脚杆
【図１】
2008036161.tif 000003
【図２】
2008036161.tif 000004
【図３】
2008036161.tif 000005
【図４】
2008036161.tif 000006
【図５】
2008036161.tif 000007
【図６】
2008036161.tif 000008
【図７】
2008036161.tif 000009
【図８】
2008036161.tif 000010
【図９】
2008036161.tif 000011
【図１０】
2008036161.tif 000012
【図１１】
2008036161.tif 000013
【図１２】
2008036161.tif 000014
【図１３】
2008036161.tif 000015
【図１４】
2008036161.tif 000016